(57)【要約】【課題】  最近に於ける突然死は心臓疾患系が最も多く、特に高齢化社会を迎える今後はより多発する可能性が大である。市中におけるこれ等の突然死などに対応する自動体外式除細動器の普及についてはまだまだ万全とはいえない状態であり、ましてや人口の少ない田舎はもとより、公共的な建物などでも緊急を要する自動体外式除細動器の普及はまだまだである。【解決手段】  本発明は、以上の課題を解決する一つの手段として、文字や画像による身近な情報や広告の標示装置などを付加した自動体外式除細動器専用の収納ケースを、それも単なる標示や告知機能のみでなく、太陽電池やバッテリーを装備し、停電時にも対応可能とした無線ＬＡＮによる緊急を要する災害情報告知や、その他集客やメンバー募集などの文化活動などの標示機能等、多様な情報を提供する多機能型標示装置を付加した自動体外式除細動器並びに同器専用収納ケースを提供する。【選択図】図１
2010046458.tif 000002
【特許請求の範囲】
【請求項１】
災害情報、自治体広報、緊急地震速報、ニュース、気象情報、大雨情報や花粉情報や大波警報など各種注意報や警報、或いは地域周辺の行事並びに案内など、市民向け各種最新情報及び広告を自立的に標示する機能をもつ装置を具備し、その情報伝達に赤色回転ランプ、サイレン、スピーカーを補助的に使用でき、主として文字や画像により標示する機能並びに周辺のモバイル通信機器に伝達する機能とを備えた自動体外式除細動器並びに同器収納ケース。
【請求項２】
外面に設置した入力ボタンあるいは標示装置に組み込まれたタッチパネルを具備することにより、利用者の意志選択の入力機能を具備した請求項１に記載の自動体外式除細動器並びに同器収納ケース。
【請求項３】
標示装置に標示する情報をスクロールし、且つ情報を転送するための端末が接続可能な端子を備え、有線又は無線のネットワーク網を通じた遠隔操作機能を具備した請求項１に記載の自動体外式除細動器並びに同器収納ケース。
【請求項４】
受発信機能を持つアンテナを装備し、音声、文字、映像等の各種メディア情報を再生あるいは標示する機能を持つと同時に、各種通信機器又は携帯型モバイル通信機器と連動してこれらの受発信機能又は中継機能を備えた請求項１に記載の自動体外式除細動器並びに同器収納ケース。
【請求項５】
有線或いは無線式ルーターを備え各種通信機器のアクセスポイントとして各種ネットワークの接続若しくは中継機能を備えた請求項１に記載の自動体外式除細動器並びに同器収納ケース。
【請求項６】
照明並びに装置作動用電源として太陽光発電や風力発電などの自然エネルギーを源としたバッテリーへの充電機構、並びに風雨や太陽光などに対して耐候性を高めるため、屋根を具備した請求項１に記載の自動体外式除細動器並びに同器収納ケース。
【請求項７】
標示部が強化ガラスや透明度のある強化合成樹脂材料によって補強され、且つ防水機能を持つ請求項１に記載の自動体外式除細動器並びに同器収納ケース。
【請求項８】
広域ＩＰネットワーク網、インターネット網、携帯通信網或いはナビゲーションシステム網等を通じ、現場と本部間の音声や文字や画像による双方向通信機能を装備した請求項１に記載の自動体外式除細動器並びに同器収納ケース。
【請求項９】
各種建造物の内外又は海上施設や港湾施設や船舶施設の内外において設置された請求項１に記載の自動体外式除細動器並びに同器収納ケース。
【請求項１０】
外灯機能並びに災害時や非常時における緊急の非常灯又は点滅照明や回転式標示、あるいは緊急事態を通知するための発信機能を持ち、同時に緊急避難場所の標示機能を持つ請求項１に記載の自動体外式除細動器並びに同器収納ケース。
【請求項１１】
請求項１に記載の自動体外式除細動器並びに同器収納ケースに連動して情報を標示する機能を持つ建造物内外に配置された標示装置。
【発明の詳細な説明】
【技術分野】
【０００１】最近駅舎などに配置収納された自動体外式除細動器を時たま見かけることがある。この自動体外式除細動器は、人が突発的に或いは突然心臓停止に至った場合の緊急用の救命具である。主要道路においては、必ずバスが走るバス路線があり、その路線には必ず乗降客用のバス停留所がある。又、駅前の目抜き通りには必ずといってよいほど銀行などがある。一定の距離間隔で設置されているバス停留所や銀行は当然、繁華街や都市部などに配置されおり当然人通りも多い。又、間もなく迎える高齢化社会では老衰をはじめ突然死の機会も当然多くなる。反面医師不足の今日では突然の心臓停止に対し近所に病院や医師がすぐ近くにあるとは限らない。そのための緊急用自動体外式除細動器であるが、何処に配置されているのかいまだ一般的に汎用化されていない。よって本発明はこの自動体外式除細動器並びに同器収納ケースに広告欄など特殊な機能を装備することにより、大量に配置する為の設置経費及び維持費を捻出し、自動体外式除細動器並びに同器収納ケースを銀行やバス停のように大量に配置し、同器が単なる救急救命具に留まらず、各種情報などの標示機能を装備した利便性の高い機能性自動体外式除細動器並びに同器収納ケースと化し、且つ自動体外式除細動器並びに同器収納ケースにランドマーク的な機能など、同器の特性を生かした街の情報受発信装置として、特にニュースや身近な情報などのインターラクティブ機能装置、並びに文字や画像による標示装置として情報や広告表示など多目的な機能を装備した自動体外式除細動器並びに同器収納ケース（以下情報装置付きＡＥＤ）に関するものである。
【背景技術】
【０００２】従来、大衆の集まるビルやほとんどの街角、若しくは目抜き通りには公衆電話が設置され、大衆の利便性はもとより、非常時の際の緊急連絡には大いに役立ってきたが、政府の政策転換による電電公社の民営化方針などをはじめ、最近の急激な携帯電話の普及などに押されて、赤字となった公衆電話の撤去が始まり、その設置台数は急速に減少化している。その分、利便性の高い携帯電話が急速に普及し公衆１１０番の利便性は遠のいた。確かに携帯電話は普及したが高齢者や子供は所持していないことが多い。或いは使いこなせない。最近特に大規模自然災害や通り魔による殺傷事件が多発している今日、必要なのは公衆電話に変わる緊急通報システムである。急速に進む地球温暖化は屋外に於ける真夏の熱射病や突然死などの多発を招く。
屋外に於ける急患や突然死などの場合に必要なことは、救急病院又はそれに代わる施設である。突然起こる突然死に対し緊急の病院が直ぐには近くにあるとは限らない。一方、救急車は火災時の出動はもとより高齢化社会やいたずらの多発などで緊急出動の機会が増えた上、道路の混雑を含め直ちに手配できるとは限らない。以上のような時に人体に起こる緊急の有事の際に必要なのが自動体外式除細動器であるが、その配置先についてはほとんどの人にとって不明である。一般に救命手当ての方法としてよく知られているのが心臓マサージや人口呼吸などであるが、しかしこれ等は人の命が掛かる為実際には素人には困難が伴う。即ちＡＥＤと叫ぶだけで周辺の人が直ちにその位置が発想できる箇所に欲しいものである。特に銀行やコンビニやバス停はその名を語るだけで、およその位置が分かる。本発明はこれ等利便性が高く且つ誰でも発想できる場所に、経費捻出の為の広告欄など特殊な装置を装備した専用ケース付きの自動体外式除細動器を配置し、突然死や緊急時の際の救急用具として配置する為の装備品技術に関するものである。しかし特許の先願調査をしてもこれ等自動体外式除細動器の配置に関する先願はほとんど見当たらない。自動体外式除細動器を単なる救命用具だけの機能でなく、災害時に多発する停電などにも左右されない太陽電池などによる自己発電照明付きによる緊急避難情報、災害情報の標示など非常時用はもとより、周辺ビジネス界の顧客獲得の為の情報受発信基地として、街角や街中の情報端末へと変化するスーパー自己発電照明兼情報装置付きＡＥＤに関する技術を提供するものである。尚広告付き自動体外式除細動器並びに自動体外式除細動器専用ケースについての先願特許は検索した限りではないようである。【０００３】
【特許文献１】先願特許は見当たらず。
【発明の開示】
＊
【発明が解決しようとする課題】
【０００４】現在バスの駅、即ちバス停留所には、バスの乗客が乗降する為の目印としてバス停標識がある。これ等バス停標識と同じように、自己発電照明付き自動体外式除細動器が定期位置に配置されていれば、例えば銀行窓口付近など、それも屋内であれば閉店時の利用が困難である為、店舗外の風雨のしのげる場所などいわゆる役所の支所等は勿論のこと、いわゆる銀行や郵便局はもとより公共性の強い建物、或いは大衆が多く利用する場所例えばコンビニなどの店外に必需品の如く配置すれば一般の認識も高まり、緊急の場合周辺の人が直ちに応急手当に対応することが可能となる。（財）神奈川県予防医学協会の発表によると日本では年間約８万人の突然死の内、圧倒的に多いのが心臓疾患系である。突然死にも色々有り睡眠中、仕事中、性行為中、ゴルフ中、ゲートゴルフ中、入浴中、ランニング中などさまざまである。又あるフイットネスクラブの発表による事故では、屋外のスポーツ事故が圧倒的に多いようであり屋外における温度、湿度、日光、風力などの環境や時間の影響が推定されるとあり、特に高齢者になるほど冠動脈疾患系が多いようである。又年齢層を下げた学校管理化での突然死による死亡は毎年２００件以上あり、ここ１０年減っているとは言いがたい状況である。その死亡原因も心臓疾患系が７０〜８５％を占めている。以上のように死亡の根本原因は別としても年間大量の突然死があることは間違いない事実であり、それも心臓疾患系が圧倒的である。これらの場合自動体外式除細動器が必ずしも役立つとは断定できないが何らかのプラス効果があることは期待できる。しかし高額の自動体外式除細動器を予算の関係でむやみに配置することも出来ないのが現状である。
【課題を解決するための手段】
【０００５】よって登場するのが本発明案による広告掲載欄機能付き自動体外式除細動器並びに自動体外式除細動器配置用収納ケースである。広告標示は文字情報による表現や画像標示でもよく特に夜間、遠くから判明できるように、その位置が明確に分かる太陽電池照明付きの自動体外式除細動器ならびに同収納ケースとし、付属設備の広告欄でイニシャル経費や年間の維持費を捻出するようにして誰でも分かる身近な場所、例えば銀行、学校、地下鉄、駅舎、役所など公共性の高い場所はもとより、大勢の人が働くビルやマンションなどにも必需品の如く配置すれば少なくとも年間何名かの人命が助かるはずであり、都会に限らずより多くの場所に自動体外式除細動器を配置できる技術案を提供するものである。
【発明の効果】
【０００６】本発明の有線又は無線による災害情報と広告掲載機能付き自動体外式除細動器並びに自動体外式除細動器配置用収納ケースいわゆる情報装置付きＡＥＤ（以下本件ＡＥＤ）は広告掲載料収入によりほとんど無償で本件ＡＥＤの大量設置が可能となり、より多くの人目に接することにより広告価値も上がり、又より多くの人々がその日の気象情報など直近の情報入手が可能となる他、その町の、その月或いは当日の、特に本件ＡＥＤ周辺の情報が、そのＡＥＤの標示装置、若しくは周辺に配置された同様のＡＥＤ装置に、新鮮でタイムリーな情報が文字や画像でスクロールされ、最新のあらゆる情報を手軽に得ることが可能となる。
例えば地域周辺にて開催されるコンサート案内、季節の旅行案内、英会話など各種教室の案内、結婚式ブライダル情報、美術館や展示会案内、各種スポーツクラブ、カラオケその他の行事案内、各種行事案内、主婦向けとしての奥様サークル情報など等、携帯電話とは違った大画面による各種情報を的確に伝え、各種団体への参画を希望する場合本件ＡＥＤから直接申し込みも可能とし、又バスや地下鉄その他の乗り物を降り、急遽希望の会場に赴く際にも直ちに本件ＡＥＤに装備された装置から手配が可能となり、事業系の団体などに対しては一件当りの課金制を採るなど、応用如何では広告以外にも収益を上げるＡＥＤに育つ可能性がある。又、周辺商店なども本ＡＥＤ付属表示端末をより身近な宣伝媒体として利用することも可能である上、標示部の端末で認識可能な図形等を表示することにより、若者が各種情報を携帯電話にダウンロードすることも可能となるばかりか、ＡＥＤそのものが収益性を持ったＡＥＤに大きく変化し、日常の生活に欠くべからざるものとなり、特に現代社会における情報はビジネスの貴重なファクターでありその為の情報収集や楽しめるＡＥＤタイムという貴重なステーションに変わる。
【０００７】又、文化団体或いはスポーツ系各種団体の世話人や関係者は特殊な例を除けば、会員募集、生徒募集、メンバー募集など、予想外の宣伝費や労力を伴うが、今後は本件ＡＥＤで集客機能、募集機能を果たすことが可能となる。特に本件ＡＥＤは大量の最新情報を内蔵する情報ボックスを装備することにより単なる大衆サービス端末から、逆に個を実現する為の各種団体・サークル・教室・クラブ・行事案内等の一般への宣伝や標示が可能となり、タウン内におけるきめの細かい訴えが可能となり新聞広告やチラシなどの経費に比較し、格安の経費で一般への訴え、広告、標示手段を可能且つ提供するものである。又本件ＡＥＤを駅舎以外にも役所や公民館等の公共施設や一般建造物内外或いは銀行などの出入り口周辺の空間を利用して設置することにより、本件ＡＥＤの利用度と公報機能はより高まる。通常新聞、ラジオ、テレビ、号外などは情報入手から大衆に届くまで最短で７時間を要すると言われているが本発明の装置を使えばパソコンに情報を入力して送信した瞬間からメディアとなりインターネットと同様な利便性を備えたメディアとなる。
【発明を実施するための最良の形態】
【０００８】本発明の情報送受信装置付きの代表的な本件ＡＥＤの構造とその作用機能を図面で説明する。図１は、本発明の全体構造図であり、太陽電池２による自己発電機能を装備し、災害時に多発する停電にも対応可能としたバッテリー１２を装備し、最上部は本件ＡＥＤが直ちに判明するようなイメージとし一目で分かるマークやロゴなどが入り、ＡＥＤ本体２の上部からまず、遠くから見通せる防犯用の赤色回転灯４などが装着され、中心部本体ボックス内部には、電気回路や送受信装置３、またＡＥＤ収納ケースの躯体部分は法に指定された装備品を内包し、その標示方法に付いては国際化に対応して５は英語標示などを含めた情報表示部であり、災害情報・緊急避難情報や会社情報などを、文字や画像によりスクロール標示され、本件ＡＥＤの製造、建設、維持費用等の主力財源となる広告欄６は広告スポンサーが利用する欄であり、文字情報、若しくはメディアとしてスクロール式画像で標示される。又各種サービスや呼び出し用の情報端末スイッチ８は幼児などのいたずらを防ぎ、且つ一般の手の届く位置である画像標示やスクロール部分の下部あたりに設け、９は周辺町内の案内図などの欄であり、できれば周辺町内のボランティアなどで周辺地図を作成してもらえばよい。最下部の広告欄１０は固定式の広告盤であり収益の一部に充当すればよい。
【実施例１】
【０００９】実施例によって本発明を説明する。
通常の電源から電力を引いた簡単なディスプレイ付きの自動体外式除細動器用収納ケースのデモ機を作り、無線の携帯パソコンからの情報送信によるテスト結果、ボックス内部をＬＥＤ照明で構成される自動体外式除細動器収納ケースの標示部には自由に情報をスクロールすることが可能となり一方テレビ画面の方にはビデオ送信による画像の標示が可能となった。又電源のない路線ではバッテリー付きの太陽電池などを利用すれば、本発明の実現は十分可能であることが判明した。
【産業上の利用可能性】
【００１０】上述したように本発明の情報送受信機能付き自動体外式除細動器並びに同器配置用収納ケースは名称通りに、街路灯機能はもとより、最新で身近な情報の送受信が可能となり、何よりも緊急を要する災害や非難情報が気象庁の予報に連動し、或いは手元のパソコンから直ちに発信可能であるため利便性・即効性があり、本装置の大量配置により、緊急対応を要する災害時、貴重な情報機関となり、田舎であろうと、又街中であろうと本件ＡＥＤを設置することにより、緊急時の貴重な情報伝達装置としての機能はもとより、安全安心な街創りにも役立ち、下町の活性化の元とも言える各種私的・公的活動団体の自己実現のための表現の場を提供し、新聞、ラジオ、テレビ、インターネットとは一味違ったメディアとしてそれも下町におけるメディアとして、新しい産業投資が生まれ周辺事業も含め、あらゆる関連産業の創造が十分可能である。
【図面の簡単な説明】
【００１１】
【図１】図１は本発明の情報発信機能付き自動体外式除細動器並びに同器収納ケースの全体概要図である
【符号の説明】
【００１２】      １  アンテナ
２  太陽電池
３  照明付情報送受信機器装置
４  防犯灯・非常灯警報・回転赤色灯等
５  災害情報・役所情報等標示部
６  広告情報標示欄
７  広告文字情報標示欄
８  各種スイッチ
９  町内案内標示欄
１０  広告案内標示欄
１１  自動体外式除細動器
１２  バッテリー
１３  ブレーキ付移動用車輪
【図１】
2010046458.tif 000003